(57)【要約】【課題】シャッター開放時に座板の揺動を防止する。【解決手段】シャッターカーテン１の下端の座板１１の長さ方向両端部には、ガイド溝内に延出する振止部１４が設けてあり、座板１１の幅方向の一側には、座板１１の幅寸法を拡大するように当接部材１５が突設されている。シャッター開放時には、座板１１は、対向状に垂直面４０Ａ、４０Ｂ間に形成された移動路内に位置すると共に、当接部材１５を介して一方の垂直面４０Ａに当接しており、振止部１４は、ガイド溝内において、一方の垂直面４０Ｂとはシャッターカーテン１を挟んで反対側に位置する側面２０Ｂに当接する。【選択図】図３
2010007340.tif 000002
【特許請求の範囲】
【請求項１】
シャッター開放時における座板の揺動防止装置であって、
シャッターカーテンは、その両端部がガイドレールの対向状の側面間に形成されたガイド溝に案内されると共に、開口部上方に設けた対向状の垂直面間に形成された移動路を通って昇降し、
シャッターカーテンの下端の座板の長さ方向両端部には、前記ガイド溝内に延出する振止部が設けてあり、
前記座板の幅方向の一側には、当該座板の幅寸法を拡大するように当接部材が突設されており、
前記ガイド溝の上端は、前記移動路の高さにまで延出しており、
シャッター開放時には、前記座板は、前記移動路内に位置すると共に、前記当接部材を介して一方の垂直面に当接しており、
前記振止部は、前記ガイド溝内において、前記一方の垂直面とはシャッターカーテンを挟んで反対側に位置する側面に当接するように構成されている、
シャッター開放時における座板の揺動防止装置。
【発明の詳細な説明】
【技術分野】
【０００１】
本発明は、シャッター開放時における座板の揺動防止装置に関するものである。
【背景技術】
【０００２】
巻取式のシャッター装置は、建物開口部の天井の上方空間に配置した巻取シャフトと、上端が当該巻取シャフトに連結されているシャッターカーテンと、建物開口部の左右両端に立設したガイドレールと、開口部上方に設けたまぐさと、を備えている（図１、図１Ａ参照）。
【０００３】
シャッター開放時、すなわち、開口部全開時には、シャッターカーテンは巻取シャフトに巻装されており、シャッターカーテンの下端の座板は、天井に設けたまぐさによって形成された移動路内に収納されている。この状態において、座板とまぐさとの間には隙間が形成されており、座板は揺動可能に吊持されている。したがって、シャッター開放時において、風が吹いた場合等に、座板が揺れてまぐさに接触して不快音が発生する場合がある。とりわけ、図１に示すシャッター装置においては、シャッター開放時には、座板が垂下状に吊持されるので、座板が振子のように揺動し易い。また、図１Ａに示すシャッター装置であっても、シャッター開放時には、巻径が大きくなることで、座板が垂直状に吊持される場合がある。
【０００４】
座板の長さ方向両端部にガイドレール溝内に延出する振止部材（例えば、特許文献１の振止部材１５）を設けて、シャッターカーテンの昇降時、シャッター閉鎖時（開口部全閉時）に、座板の振れを抑制することは行なわれているが、シャッター開放時に座板の揺れを防止するという着想はなかった。
【特許文献１】特開２００１−２０７７５２号
【発明の開示】
【発明が解決しようとする課題】
【０００５】
本発明は、シャッター開放時に座板の揺動を防止することを目的とする。
【課題を解決するための手段】
【０００６】
本発明が採用した技術手段は、
シャッター開放時における座板の揺動防止装置であって、
シャッターカーテンは、その両端部がガイドレールの対向状の側面間に形成されたガイド溝に案内されると共に、開口部上方に設けた対向状の垂直面間に形成された移動路を通って昇降し、
シャッターカーテンの下端の座板の長さ方向両端部には、前記ガイド溝内に延出する振止部が設けてあり、
前記座板の幅方向の一側には、当該座板の幅寸法を拡大するように当接部材が突設されており、
前記ガイド溝の上端は、前記移動路の高さにまで延出しており、
シャッター開放時には、前記座板は、前記移動路内に位置すると共に、前記当接部材を介して一方の垂直面に当接しており、
前記振止部は、前記ガイド溝内において、前記一方の垂直面とはシャッターカーテンを挟んで反対側に位置する側面に当接するように構成されている。
【発明の効果】
【０００７】
本発明では、シャッター開放時（開口部全開時）には、座板が、開口部上方に形成された移動路内で規制されているので、シャッター開放時における座板の揺動を防止することができ、したがって、風による揺れと発生音を抑えることができる。
【発明を実施するための最良の形態】
【０００８】
本発明の実施形態を図面に基づいて詳細に説明する。図１は、本発明のシャッター開放時における座板の揺動防止装置が適用されるシャッター装置の縦断面図である。図１Ａは、本発明の座板の揺動防止装置が適用される他のシャッター装置の縦断面図である。図１と図１Ａにおいて同一の要素については、同一の参照番号が付してあり、図１Ａに示すシャッター装置の説明には、図１のシャッター装置の説明を援用することができる。
【０００９】
シャッター装置は、建物開口部を開閉するシャッターカーテン１を備えている。建物開口部の幅方向両端部には、シャッターカーテン１の幅方向両端部を案内するガイドレール２が立設されている。シャッターカーテン１の両端部を受け入れて案内するガイドレール２のガイド溝は、対向状の側面２０Ａ、２０Ｂ間に形成されている。
【００１０】
開口部上方には天井３が設けてあり、天井３には、シャッターカーテン１の昇降経路に位置してまぐさ４Ａ、４Ｂが対向状に設けてある。まぐさ４Ａ、４Ｂは、それぞれ、垂直面４０Ａと水平面４１Ａ、垂直面４０Ｂと水平面４１Ｂ、から構成されている。対向する垂直面４０Ａ、４０Ｂ間に、シャッターカーテン１の移動路が形成されている。
【００１１】
天井３の上方の空間にはシャッターケース５が設けてある。シャッターケース５内には、シャッターカーテン１を巻き取り・繰り出すための巻取シャフト６と、巻取シャフト６を回転駆動させる開閉機７と、が設けてある。ガイドレール２（ガイド溝）の上端部は、天井３を越えて垂直面４０Ａ、４０Ｂ間まで延出しており、その上方にはさらに上部ガイド２１が形成されている。
【００１２】
図１では、シャッターケース５内には、さらに、シャッターカーテン１を巻取シャフト６に案内するためのガイドシャフト８が設けてある。すなわち、図１に示すシャッター装置は、巻取シャフト６とガイドシャフト８を備えた２軸シャッターである。ガイドシャフト８の周面は、シャッター芯Ｃ上に近接しており、巻取シャフト６から繰り出されたシャッターカーテン１をガイドレール２の上端部の上部ガイド２１へ向かって垂直状に案内するようになっている。図１Ａのシャッター装置では、ガイドシャフト８を有しておらず、代わりに上部ガイド２１に近接してガイドローラ８Ａが配置されており、また、巻取シャフト６から繰り出されたシャッターカーテン１はガイドローラ８Ａに向かって傾斜状に案内するようになっている
【００１３】
シャッターカーテン１は、開口幅方向に延出する長尺状のスラット９を上下に連設することで形成されており、上端には吊元１０、下端には座板１１が設けてある。シャッターカーテン１は吊元１０を介して巻取シャフト６に連結されている。シャッターカーテン１の最下位のスラット９´に連結された座板１１は、上座板１２と下座板１３とから構成されている。
【００１４】
上座板１２は、上面１２０Ａ、１２０Ｂと、対向状の側面１２１Ａ、１２１Ｂと、上面１２０Ａ、１２０Ｂ間（上座板１２の幅方向略中央部位）から上方に延出する立ち上がり部１２２と、を備えている。上座板１２の上面は、立ち上がり部１２２によって、座板１１の幅方向の一側に位置する上面１２０Ａ、他側に位置する上面１２０Ｂに分割されている。上座板１２は、立ち上がり部１２２を介してスラット９´に連結されている。
【００１５】
座板１１の長さ方向両端部に位置して振止部１４が設けてあり、振止部１４は、ガイドレール２の溝内に延出している。より具体的には、図３に示すように、最下位のスラット９´の長さ方向両端部はガイドレール２の溝内に延出する一方、座板１１の長さ方向両端部は、ガイドレール２の溝の外側に位置しており、振止部１４は、座板１１の長さ方向両端縁に当接するようにして、スラット９´に固定されている。尚、座板１１の部分から振止部１４を形成してもよい。シャッターカーテン１の幅方向両端部がガイドレール２の溝部に案内されて昇降する時には、ガイドレール２の溝内に延出する振止部１４がガイドレール２の溝部の対向する垂直状の側面２０Ａ、２０Ｂのいずれかに当接することで振れが抑制される。
【００１６】
座板１１の上座板１２において、幅方向の一側には当接部材１５が設けてあり、座板１１の幅方向の寸法が拡大されている。より具体的には、上座板１２の一方の上面１２０Ａから側面１２１Ａに亘って短尺状の当接部材１５が固定されている。当接部材１５は、側面１２１Ａから突出する膨出部１５０と、上面１２０Ａ上に位置する水平部１５１と、からなる。図示の例では、１つの短尺状の当接部材１５を座板１１に設けているが、当接部材１５の寸法や個数は限定されない。当接部材１５は１つの態様では樹脂製であるが、ゴム、金属、木製等の他の材質から形成してもよい。
【００１７】
図２、図３から明らかなように、開口部上方の移動路、すなわち、垂直面４０Ａ、４０Ｂ間の幅は、当接部材１５を含めた座板１１の幅よりも大きい幅を備えており、シャッター開放時には、従来と同様に、座板１１は垂直面４０Ａ、４０Ｂ間に納まっている。
【００１８】
ここで、シャッターカーテン１を巻取シャフト６に巻き取りながら開口部を開放させる時に、シャッターカーテン１の下端の座板１１が、まぐさ４Ａ、４Ｂにより形成された移動路、すなわち、垂直面４０Ａ、４０Ｂ間に入ると、座板１１（上座板１２）に設けた当接部材１５が一方の垂直面４０Ａに当接して、座板１１を他方の垂直面４０Ｂに向かって偏移させる。そして、座板１１が他方の垂直面４０Ｂ側に偏移することで、座板１１の長さ方向両端部に突設した振止部１４がガイド溝内において他方の側面２０Ｂに当接する。
【００１９】
すなわち、図２、図３に示すように、シャッター開放時において、座板１１の幅方向の一側が、当接部材１５を介してまぐさ４Ａの垂直面４０Ａに当接し、座板１１の幅方向の他側が、振止部１４を介してガイドレール２のガイド溝の他方の側面２０Ｂに当接することで、座板１１が開口部上方に形成された移動路（垂直面４０Ａ、４０Ｂ間）内で規制される。こうすることで、シャッター開放時において、移動路（垂直面４０Ａ、４０Ｂ間）内での座板１１の揺動を防止することができ、したがって、風による揺れと発生音を抑えることができる。特に、シャッター開放時に、座板が垂下状に吊持されるようなシャッター装置においては、座板が振子のように揺動し易いので、本発明に係る座板の揺動防止装置が有効に適用される。
【産業上の利用可能性】
【００２０】
本発明は、巻取式のシャッター装置に用いることができる。
【図面の簡単な説明】
【００２１】
【図１】本発明が適用されるシャッター装置の縦断面図である。
【図１Ａ】本発明が適用される他のシャッター装置の縦断面図である。
【図２】シャッター開放時（開口部全開時）のまぐさ部位を拡大して示す部分図である。
【図３】シャッター開放時（開口部全開時）のまぐさ部位の平面図である。
【図４】本発明に係る座板を拡大して示す側面図である。
【図５】図４を右側から見た正面図である。
【図６】当接部材が固定された座板の部分斜視図である。
【符号の説明】
【００２２】
１  シャッターカーテン
２  ガイドレール
２０Ａ  側面
２０Ｂ  側面
４Ａ  まぐさ
４Ｂ  まぐさ
４０Ａ  垂直面
４０Ｂ  垂直面
１１  座板
１２  上座板
１４  振止部
１５  当接部材
【図１】
2010007340.tif 000003
【図１Ａ】
2010007340.tif 000004
【図２】
2010007340.tif 000005
【図３】
2010007340.tif 000006
【図４】
2010007340.tif 000007
【図５】
2010007340.tif 000008
【図６】
2010007340.tif 000009